(57)【要約】【課題】電子決済専用の決済端末において、ポイントの付与及び利用に係る処理を効率的に行うことが可能な決済端末及びプログラムを提供する。【解決手段】顧客が所持する記憶媒体から、当該記憶媒体に記憶された情報を読み取る読取手段と、前記読取手段が読み取った決済用情報に基づいて決済処理を行う決済手段と、前記記憶媒体の各々を識別する識別情報と、当該識別情報に対して付与されたポイントの累計値とを関連付けたポイント管理データのうち、前記読取手段が読み取った識別情報に対応する累計値に決済金額に応じたポイントを追加することで当該ポイントを付与するポイント付与手段と、指示されたポイントを、前記読取手段が読み取った識別情報に対応する累計値から減算することで当該ポイントを所定のサービスに利用するポイント利用手段と、一連する操作の中で前記ポイントの利用と付与とを連続的に実行させる操作画面を提供する提供手段と、を備える。【選択図】図５
2015152962.tif 000002
【特許請求の範囲】
【請求項１】
顧客が所持する記憶媒体から、当該記憶媒体に記憶された情報を読み取る読取手段と、
前記読取手段が読み取った決済用情報に基づいて決済処理を行う決済手段と、
前記記憶媒体の各々を識別する識別情報と、当該識別情報に対して付与されたポイントの累計値とを関連付けたポイント管理データのうち、前記読取手段が読み取った識別情報に対応する累計値に決済金額に応じたポイントを追加することで当該ポイントを付与するポイント付与手段と、
指示されたポイントを、前記読取手段が読み取った識別情報に対応する累計値から減算することで当該ポイントを所定のサービスに利用するポイント利用手段と、
一連する操作の中で前記ポイントの利用と付与とを連続的に実行させる操作画面を提供する提供手段と、
を備える決済端末。
【請求項２】
前記提供手段は、利用対象のポイントを入力させる第１操作画面を提供し、
前記ポイント利用手段は、前記第１操作画面に入力されたポイントが、前記読取手段が読み取った識別情報に対応する累計値以下の場合に、当該ポイントを利用する請求項１に記載の決済端末。
【請求項３】
前記提供手段は、ポイントを付与するか否かを選択させる第２操作画面を提供し、
前記ポイント付与手段は、前記第２操作画面で付与することが選択された場合に、前記付与を行う請求項１又は２に記載の決済端末。
【請求項４】
前記決済手段は、一の取引について複数の決済手法を用いて前記決済処理を実行し、
前記提供手段は、前記決済手法毎に前記操作画面を提供する請求項１〜３の何れか一項に記載の決済端末。
【請求項５】
前記読取手段は、前記顧客が所持する同一又は異なる前記記憶媒体から、前記決済用情報と前記識別情報とを読み取る請求項１〜４の何れか一項に記載の決済端末。
【請求項６】
決済端末のコンピュータを、
顧客が所持する記憶媒体から、当該記憶媒体に記憶された情報を読み取る読取手段と、
前記読取手段が読み取った決済用情報に基づいて決済処理を行う決済手段と、
前記記憶媒体の各々を識別する識別情報と、当該識別情報に対して付与されたポイントの累計値とを関連付けたポイント管理データのうち、前記読取手段が読み取った識別情報に対応する累計値に決済金額に応じたポイントを追加することで当該ポイントを付与するポイント付与手段と、
指示されたポイントを、前記読取手段が読み取った識別情報に対応する累計値から減算することで当該ポイントを所定のサービスに利用するポイント利用手段と、
一連する操作の中で前記ポイントの利用と付与とを連続的に実行させる操作画面を提供する提供手段と、
して機能させるためのプログラム。
【発明の詳細な説明】
【技術分野】
【０００１】
本発明の実施形態は、決済端末及びプログラムに関する。
【背景技術】
【０００２】
従来、ＩＣカード等の媒体に記憶された商取引可能なデータ（決済用情報）を用いることで、商品の決済（電子決済）が行われている。係る決済では、ＩＣカード等を提示することで決済することが可能であるため、電子決済専用の決済端末も存在している。
【０００３】
また、従来、店舗等では、商品の購入金額に応じてポイントを付与するポイントサービス制度が運用されている。係るポインサービス制度では、例えば、会員となった顧客にポイントカードを配布し、購入金額に応じて付与したポイントをポイントカードと関連付けて累積記憶することが行われている。付与されたポイントは、次回以降の取引でポイント分の値引きや商品との交換等に利用できるものとしている。
【０００４】
また、上記した電子決済とポイントサービスとを連携させたサービスも登場している。このサービスを提供する場合、ＰＯＳ（Point  Of  Sales）端末等を用いずに、電子決済専用の決済端末でポイントの付与及び利用に係る処理を行わせることが効率的である。そのため、電子決済専用の決済端末において、ポイントの付与及び利用に係る処理を効率的に行うことが可能な技術が要求されている。
【発明の概要】
【発明が解決しようとする課題】
【０００５】
本発明が解決しようとする課題は、電子決済専用の決済端末において、ポイントの付与及び利用に係る処理を効率的に行うことが可能な決済端末及びプログラムを提供することである。
【課題を解決するための手段】
【０００６】
実施形態の決済端末は、読取手段と、決済手段と、ポイント付与手段と、ポイント利用手段と、提供手段とを備える。読取手段は、顧客が所持する記憶媒体から、当該記憶媒体に記憶された情報を読み取る。決済手段は、前記読取手段が読み取った決済用情報に基づいて決済処理を行う。ポイント付与手段は、前記記憶媒体の各々を識別する識別情報と、当該識別情報に対して付与されたポイントの累計値とを関連付けたポイント管理データのうち、前記読取手段が読み取った識別情報に対応する累計値に決済金額に応じたポイントを追加することで当該ポイントを付与する。ポイント利用手段は、指示されたポイントを、前記読取手段が読み取った識別情報に対応する累計値から減算することで当該ポイントを所定のサービスに利用する。提供手段は、一連する操作の中で前記ポイントの利用と付与とを連続的に実行させる操作画面を提供する。
【図面の簡単な説明】
【０００７】
【図１】図１は、実施形態に係るＰＯＳシステムの構成を示す図である。
【図２】図２は、ポイントＤＢのデータ構成の一例を示す図である。
【図３】図３は、決済端末の外観を示す図である。
【図４】図４は、決済端末のハードウェア構成を示す図である。
【図５】図５は、決済端末の機能構成を示す図である。
【図６】図６は、決済端末の制御部が実行するポイント処理の手順の一例を示すフローチャートである。
【図７】図７は、ポイント利用画面の一例を示す図である。
【図８】図８は、確認画面の一例を示す図である。
【図９】図９は、ポイント付与画面の一例を示す図である。
【発明を実施するための形態】
【０００８】
図１は、本実施形態に係るＰＯＳシステム１の構成を示す図である。図１に示すように、ＰＯＳシステム１は、ＰＯＳ端末２と、決済端末３と、ポイント管理サーバ５とを有する。ＰＯＳ端末２、決済端末３及びポイント管理サーバ５の間は、有線又は無線により通信可能に接続される。また、決済端末３は、有線または無線によりリーダ装置４と通信可能に接続される。
【０００９】
ＰＯＳ端末２は、顧客が購入する商品の商品販売データ処理を行う装置であり、一取引の決済処理を行う。また、磁気カードやＩＣカード等を用いた決済（電子決済）を行う場合には、ＰＯＳ端末２は決済端末３と協働することで一取引の決済処理を行う。ここで、電子決済としては、クレジットカードを用いるクレジット決済、デビッドカード等による即時決済、プリペイド式やポストペイ式の電子マネー決済等が挙げられる。
【００１０】
図１に示すように、ＰＯＳ端末２の本体２１の上部には、店員用の表示部２２と客用の表示部２３とが設けられている。各表示部２２、２３は、ＬＣＤ（Liquid  Crystal  Display）あるいはタッチパネルを表面に配設したＬＣＤによって構成され、商品名や商品の金額、一取引の合計金額等を表示する。また、本体２１の上面には、キーボード２４が配設されており、現金決済又はクレジット決済等の決済方法を選択する現金決済キーやクレジット決済キー等が設けられている。さらに、本体２１の内部にはレシート等を印刷するプリンタ２５が設けられている。プリンタ２５によって印刷されたレシート用紙は、本体２１の上部に設けられたレシート発行口２６から発行される。
【００１１】
決済端末３は、電子決済専用の決済端末である。具体的に、決済端末３は、電子決済用のＩＣカードや磁気カード等の記憶媒体（以下、決済カードという）から商取引可能な電子決済用の決済用情報を読み取る。そして、決済端末３は、決済用情報を用いて、カード会社のサーバ装置等（図示せず）と通信することで決済処理を行う。また、決済端末３は、ポイント管理用のＩＣカードや磁気カード等の記憶媒体（以下、ポイントカードという）からカード番号を読み取り、ポイント管理サーバ５と通信することで、ポイントの付与と利用とに係るポイント処理を実行する。
【００１２】
ここで、ポイントカードは、本システムを利用する各顧客に予め配布されているものとする。また、カード番号は、各ポイントカードを識別するための識別情報であって、固有の数値が割り振られているものとする。なお、決済カードが、決済用情報とともにカード番号を記憶することで、ポイントカードとしての機能を有する形態としてもよい。また、決済カードに記憶された固有の識別情報を、カード番号として用いる形態としてもよい。
【００１３】
リーダ装置４は、決済端末３（制御部１００）の制御の下、読取手段として機能する。リーダ装置４は、ＮＦＣ（Near  Field  Communication）等の近距離無線通信技術を用いて非接触型のＩＣカードにアクセスし、そのＩＣカードに記憶された情報を読み取る。本実施形態において、リーダ装置４は、決済端末３（制御部１００）の制御の下、決済カードやポイントカードから決済用情報やカード番号を読み取り、決済端末３に送信する。なお、本実施形態では、決済端末３とリーダ装置４とを別体としたが、決済端末３がリーダ装置４の機能を備えることで、一体的に構成する形態としてもよい。
【００１４】
ポイント管理サーバ５は、各顧客に付与されたポイントを管理するサーバ装置である。具体的に、ポイント管理サーバ５は、各顧客のポイントを記憶・管理するためのポイントＤＢ５１を備える。なお、ポイントＤＢ５１は、決済端末３が参照可能に保持されているものとする。
【００１５】
図２は、ポイントＤＢ５１のデータ構成の一例を示す図である。図２に示すように、ポイントＤＢ５１は、各ポイントカードに割り振られたカード番号と、ポイントの累計値を示すポイント残高とを関連付けて記憶する。なお、ポイントＤＢ５１に記憶する情報は、図２の例に限らず、ポイントの利用履歴等を関連付けて記憶する形態としてもよい。
【００１６】
ポイント管理サーバ５は、決済端末３から、特定のカード番号を指定したポイントの減算指示を受け付けると、そのカード番号に該当するポイント残高から、指定されたポイントを減算する。また、ポイント管理サーバ５は、決済端末３（制御部１００）から、特定のカード番号を指定したポイントの追加指示を受け付けると、そのカード番号に該当するポイント残高に、指定されたポイントを加算する。
【００１７】
次に、決済端末３について詳細に説明する。図３は、決済端末３の外観を示す図である。図３において、決済端末３の本体３１の側部には電源スイッチ３６が設けられている。また、本体３１の上部には、本体３１に対して開閉可能な上面パネル３７が設けられている。上面パネル３７を開放することで、本体３１の内部にロール状のレシート用紙をセットすることができる。また、この上面パネル３７の表面には、操作部３３であるタッチパネルを表面に配設した表示部３２が設けられる。
【００１８】
本体３１の側面上部には、決済カードやポイントカード等の磁気カードから当該カードに格納されている情報を読み取るカード読取部３４が設けられる。
【００１９】
本体３１の内部には、上述のレシート用紙に決済に関する情報や売上レポート等を印字する印字部６７（図４参照）が備えられる。印字後のレシート用紙は、本体３１と上面パネル３７との間に設けられているレシート発行口３５から発行される。
【００２０】
図４は、決済端末３のハードウェア構成を示すブロック図である。図４に示すように、決済端末３は、各部を制御するための制御部１００を備える。制御部１００は、各部を制御するＣＰＵ（Central  Processing  Unit）６１に、アドレスバス、データバス等のバスライン６４を介して、ＲＯＭ（Read  Only  Memory）６２と、ＲＡＭ（Random  Access  Memory）６３を接続して構成される。
【００２１】
また、制御部１００には、メモリ部６５とコントローラ６６が、バスライン６４を介して接続される。制御部１００は、ＣＰＵ６１が、メモリ部６５に記憶されＲＡＭ６３に展開された制御プログラム６５１に従って動作することによって、各種処理を実行する。
【００２２】
メモリ部６５は、電源を切っても記憶情報が保持されるフラッシュメモリ等の不揮発性メモリであって、制御プログラム６５１を含むプログラム等を記憶する。また、メモリ部６５は、付与対象のポイントを算出する際の基準となるポイント付与率等が設定された設定情報６５２を記憶する。ここで、ポイント付与率は、例えば、１００円の支払額につき１ポイントを付与すること等、ポイントを付与する際の付与率を定めるものである。
【００２３】
また、コントローラ６６には、表示部３２と、操作部３３とが接続される。コントローラ６６は、制御部１００からの指示に基づいて各種制御を実行する。表示部３２は、キー画像や操作画面（ＧＵＩ）等の各種情報を表示する。操作部３３は、表示部３２上に設けられたタッチパネルであり、表示部３２に表示されたキーに対応する位置のタッチパネルをタッチすることで、各種のキー操作を実行する。
【００２４】
また、コントローラ６６には、印字部６７とカード読取部３４とが接続されている。印字部６７は、本体３１の内部に収納したレシート用紙の先端を引き出して、例えばサーマルヘッドを使用して決済情報等をレシート用紙に印字する。カード読取部３４は、制御部１００の制御の下、読取手段として機能する。カード読取部３４は、決済カードやポイントカードに記憶された決済用情報やカード情報を読み取る。
【００２５】
また、バスライン６４は、通信Ｉ／Ｆ（Interface）６８、６９、７０を接続している。通信Ｉ／Ｆ６８は、ＰＯＳ端末２に接続される。通信Ｉ／Ｆ６９は、リーダ装置４に接続される。通信Ｉ／Ｆ７０は、ポイント管理サーバ５に接続される。決済端末３は、各通信Ｉ／Ｆ６８、６９、７０を介して、ＰＯＳ端末２やリーダ装置４、ポイント管理サーバ５と情報の送受信を行う。
【００２６】
次に、決済端末３の機能構成について説明する。図５は、決済端末３の機能構成を示す図である。決済端末３は、制御部１００（ＣＰＵ６１）がメモリ部６５に記憶された制御プログラム６５１等のプログラムに従い動作することで、表示制御部１０１、決済処理部１０２、ポイント処理部１０３、印字制御部１０４等の機能部を実現する。
【００２７】
表示制御部１０１は、表示部３２への表示出力を制御する。具体的に、表示制御部１０１は、他の機能部と協働することで、決済業務やポイントの付与及び利用等に係る各種操作画面（ＧＵＩ）を表示部３２に表示する。また、表示制御部１０１は、各種情報を入力するためのソフトウェアキーボード等を表示する。
【００２８】
決済処理部１０２は、決済手段として機能する。決済処理部１０２は、カード読取部３４やリーダ装置４で読み取られた決済用情報に基づき、決済処理（電子決済）を行う。ここで、決済処理部１０２は、ＰＯＳ端末２と協働等することで、複数の決済手法に対応する。これにより、決済処理部１０２は、一の取引において、最初の決済手法（例えば、プリペイド式の電子マネー）で決済した金額が、顧客が支払うべき支払金額（決済金額）に満たないような場合に、他の決済手法（例えば、クレジットカード）を用いて決済を行うことが可能である。なお、決済手法については、公知・公用の技術であるため説明を省略する。
【００２９】
ポイント処理部１０３は、ポイント付与手段及びポイント利用手段として機能する。また、ポイント処理部１０３は、表示制御部１０１と協働することで、提供手段として機能する。
【００３０】
具体的に、ポイント処理部１０３は、カード読取部３４やリーダ装置４で読み取られたカード番号に基づき、ポイントの利用やポイントの付与に関する処理を実行する。また、ポイント処理部１０３は、カード番号に対応するポイント残高をポイントＤＢ５１から読み出し、このポイント残高を表示部３２に表示する。
【００３１】
また、ポイント処理部１０３は、操作部３３を介してポイントの利用指示を受け付けると、その利用分となるポイントの値（以下、利用ポイントという）がポイント残高以下か否かを判定する。ポイント処理部１０３は、利用ポイントがポイント残高以下の場合に、その利用ポイントに応じた金額を支払額から減額することを決済手段に指示する。そして、ポイント処理部１０３は、利用ポイント分の減算を指示する指示情報を、カード番号とともにポイント管理サーバ５に送信することで、ポイント残高から利用ポイント分の減算を指示する。
【００３２】
また、ポイント処理部１０３は、操作部３３を介してポイントの付与を指示する指示操作を受け付けると、その取引での決済金額と、設定情報６５２のポイント付与率とに基づき、付与するポイントの値（以下、追加ポイントという）を算出する。そして、ポイント処理部１０３は、追加ポイント分の加算を指示する指示情報を、カード番号とともにポイント管理サーバ５に送信することで、ポイント残高に追加ポイント分の加算を指示する。
【００３３】
また、ポイント処理部１０３は、上述したポイントの利用と付与とに係る処理を、一連する操作の中で連続的に実行する。ここで、連続的に実行とは、操作者自身が切り替えスイッチ等を操作することで、ポイントの利用と付与とを切り替えながら実行するのではなく、一連の画面遷移を有するポイント処理の中で順次実行していくことを意味する。なお、ポイント処理については後述する。
【００３４】
印字制御部１０４は、印字部６７を制御して、決済の内訳やポイントの利用及び付与に関する情報等を、レシート用紙に印字するものである。
【００３５】
以下、図６〜図９を参照して、決済端末３の動作について説明する。図６は、決済端末３の制御部１００（ＣＰＵ６１）が実行するポイント処理の手順の一例を示す図である。ここで、ポイント処理は、決済処理部１０２が決済処理を行う際に実行されるものである。なお、一の取引において複数の決済手法が用いられた場合には、その決済手法毎にポイント処理が実行されるものとする。
【００３６】
まず、ポイント処理部１０３は、カード読取部３４又はリーダ装置４において、ポイントカードが読み取られるまで待機する（ステップＳ１１；Ｎｏ）。ポイントカードが読み取られると（ステップＳ１１；Ｙｅｓ）、ポイント処理部１０３は、ポイントの利用及び付与に係るデータ（トランザクション）を一時的に格納するための領域をＲＡＭ６３上に確保する（ステップＳ１２）。
【００３７】
続いて、ポイント処理部１０３は、ポイントカードから読み取られたカード番号に基づき、ポイント残高の照会をポイント管理サーバ５に行うことで、ポイント残高を取得する（ステップＳ１３）。ポイント処理部１０３は、ポイント残高を取得すると、利用ポイントを入力するためのポイント利用画面を表示部３２に表示する（ステップＳ１４）。
【００３８】
図７は、ポイント利用画面の一例を示す図である。図７に示すように、表示制御部１０１は、ポイント利用画面Ｇ１において、ステップＳ１３で取得したポイント残高を領域Ａ１１に表示するとともに、利用ポイントを入力するための数値キーＫ１１を表示する。また、ポイント利用画面Ｇ１には、入力された数値を表示するための領域Ａ１２が設けられる。また、ポイント利用画面Ｇ１には、入力された数値を訂正するためのボタンＢ１１と、入力完了を指示するためのボタンＢ１２とが設けられる。
【００３９】
数値キーＫ１１の操作により利用ポイントがセットされた後、ボタンＢ１２が操作されると、ポイント処理部１０３は、入力された利用ポイントを受け付ける。なお、利用ポイントに“０”がセットされたり、利用ポイントが未入力のままボタンＢ１１が操作された場合には、利用ポイントとして“０”を受け付ける。
【００４０】
図６に戻り、ポイント処理部１０３は、利用ポイントが入力されるまで待機する（ステップＳ１５；Ｎｏ）。利用ポイントの入力を受け付けると（ステップＳ１５；Ｙｅｓ）、決済処理部１０２は、入力された利用ポイントがポイント残高以下か否かを判定する（ステップＳ１６）。ここで、利用ポイントがポイント残高を上回った場合（ステップＳ１６；Ｎｏ）、ポイント処理部１０３は、利用不可を示すエラー画面（図示せず）を表示し、ステップＳ１４に戻る。
【００４１】
また、ステップＳ１６において、利用ポイントがポイント残高以下と判定した場合（ステップＳ１６；Ｙｅｓ）、ポイント処理部１０３は、利用ポイントの確認を促すための確認画面を表示部３２に表示する（ステップＳ１７）。なお、利用ポイントが“０”の場合には、確認画面を非表示とし、ステップＳ２１に移行する。
【００４２】
図８は、確認画面の一例を示す図である。図８に示すように、表示制御部１０１は、確認画面Ｇ２において、ステップＳ１１で読み取られたカード番号（カード名称）と、ステップＳ１３で取得したポイント残高と、ステップＳ１５で入力を受け付けた利用ポイントとを領域Ａ２１に表示する。また、確認画面Ｇ２には、ポイントの利用を指示するボタンＢ２１と、利用ポイントの再入力を指示するボタンＢ２２とが設けられる。
【００４３】
図６に戻り、ポイント処理部１０３は、ポイントの利用が指示されたか否かを判定する（ステップＳ１８）。ここで、利用ポイントの再入力が指示された場合（ステップＳ１８；Ｎｏ）、ポイント処理部１０３は、ステップＳ１４に戻ることで、ポイント利用画面を表示する。
【００４４】
一方、ステップＳ１８において、ポイントの利用が指示された場合（ステップＳ１８；Ｙｅｓ）、ポイント処理部１０３は、利用ポイントに応じた金額を、支払金額から減算することで、ポイントを利用する（ステップＳ１９）。また、ポイント処理部１０３は、カード番号とともに利用ポイントの減算をポイント管理サーバ５に指示することで、ポイント残高から利用ポイントを減算させる（ステップＳ２０）。
【００４５】
続いて、ポイント処理部１０３は、ポイントを付与するか否かを確認するための促すためのポイント付与画面を表示部３２に表示する（ステップＳ２１）。
【００４６】
図９は、ポイント付与画面の一例を示す図である。図９に示すように、表示制御部１０１は、ポイント付与画面Ｇ３において、ポイントの付与を指示するためのボタンＢ３１と、付与しないことを指示するためのボタンＢ３２とを表示する。ここで、ボタンＢ３１が操作されると、ポイント処理部１０３は、ポイントの付与が指示されたと判定する。また、ボタンＢ３２が操作された場合、ポイント処理部１０３は、ポイントを付与しないことが指示されたと判定する。
【００４７】
例えば、一の取引において、複数の決済手法を用いて決済を行う場合、最初の決済手法でポイントを付与するような場合がある。このような場合、後の決済手法では、ボタンＢ３２を操作することで、ポイントの重複付与を抑制する。なお、一の取引において、ボタンＢ３１が複数回操作された場合には、ポイント処理部１０３が、重複付与の可能性がある旨を示す確認画面を表示する形態としてもよい。
【００４８】
図６に戻り、ポイント処理部１０３は、ポイントの付与が指示されたか否かを判定する（ステップＳ２２）。ここで、ポイントを付与しないことが指示された場合（ステップＳ２２；Ｎｏ）、ポイント処理部１０３は、ステップＳ２５に移行する。
【００４９】
一方、ステップＳ２２において、ポイントの付与が指示された場合（ステップＳ２２；Ｙｅｓ）、ポイント処理部１０３は、その取引での支払金額と、設定情報６５２のポイント付与率とに基づき、付与の対象となる追加ポイントを算出する（ステップＳ２３）。ここで、追加ポイントの算出は、一取引分の総支払金額に基づいて行われ、複数の決済手法により決済が複数回行われた場合であっても、その基準は変わらないものとする。なお、顧客が購入する商品の中に、ポイントを付与しないことが定められた商品が含まれる場合には、該当する商品の金額を除いた支払金額を基にポイントを算出する。
【００５０】
続いて、ポイント処理部１０３は、追加ポイント分の加算を指示する指示情報を、カード番号とともにポイント管理サーバ５に送信することで、追加ポイントの加算を指示する（ステップＳ２４）。なお、追加ポイント算出の基となる支払金額は、利用ポイントによる減額前の金額であるとするが、これに限らず、減額後の金額としてもよい。
【００５１】
続いて、印字制御部１０４は、ステップＳ１９で利用された利用ポイントや、ステップＳ２３で算出された追加ポイント等を含む印字データを印字部６７に印字させ（ステップＳ２５）、本処理を終了する。なお、ポイントの利用及び追加の何れもが行われなかった場合には、印字を抑制するものとする。
【００５２】
以上のように、本実施形態の決済端末３によれば、一連の画面遷移を有するポイント処理の中で、ポイントの利用と付与とに係る処理を順次実行していく。これより、決済端末３の操作者は、切り替えボタン等の切り替え操作によりポイントの利用と付与とを切り替えることなく、一連の操作の中でポイントの利用と付与とに係る処理を順次実行することができる。
【００５３】
特に、決済端末３は、電子決済用の決済端末であるため、キーボード２４等を備えるＰＯＳ端末２と比べ、その操作性は制限される。そのため、決済端末３では、ポイントの利用と付与とを切り替えるような操作は煩雑であり、業務の妨げとなる可能性もある。そこで、本実施形態の決済端末３では、上述したように、一連の操作の中でポイントの利用と付与とに係る処理を順次実行する。これにより、ポイントの付与及び利用に係る処理を効率的に行うことができるため、業務の円滑化を図ることができる。
【００５４】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００５５】
例えば、上記実施形態では、磁気カードやＩＣカード等、カード型の記憶媒体を用いたが、これに限らないものとする。一例としては、決済用情報やカード情報に代わる識別情報を記憶した記憶媒体を備える携帯電話やスマートフォン等の情報機器から、ＮＦＣ等の近距離無線通信技術を用いて情報を読み取る形態としてもよい。
【００５６】
また、上記実施形態の決済端末３で実行される制御プログラム６５１は、メモリ部６５等に予め組み込まれて提供されるものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５７】
さらに、上記実施形態の決済端末３で実行される制御プログラム６５１を、インターネット等のネットワークに接続されたコンピュータ上に格納し、ネットワーク経由でダウンロードさせることにより提供するように構成してもよい。また、本実施形態の決済端末３で実行される制御プログラム６５１を、インターネット等のネットワーク経由で提供又は配布するように構成してもよい。
【００５８】
上記実施形態の決済端末３で実行される制御プログラム６５１は、上述した各部（表示制御部１０１、決済処理部１０２、ポイント処理部１０３、印字制御部１０４）を含むモジュール構成となっており、実際のハードウェアとしてはＣＰＵ６１（プロセッサ）がメモリ部６５等からプログラムを読み出して実行することにより上記各部がＲＡＭ６３上にロードされ、ＲＡＭ６３上に生成されるようになっている。
【符号の説明】
【００５９】
１  ＰＯＳシステム
２  ＰＯＳ端末
３  決済端末
４  リーダ装置
５  ポイント管理サーバ
１０１  表示制御部
１０２  決済処理部
１０３  ポイント処理部
１０４  印字制御部
【先行技術文献】
【特許文献】
【００６０】
【特許文献１】特開２０１２−２１２４６１号公報
【図１】
2015152962.tif 000003
【図２】
2015152962.tif 000004
【図３】
2015152962.tif 000005
【図４】
2015152962.tif 000006
【図５】
2015152962.tif 000007
【図６】
2015152962.tif 000008
【図７】
2015152962.tif 000009
【図８】
2015152962.tif 000010
【図９】
2015152962.tif 000011